(57)【特許請求の範囲】
【請求項１】
ヒータ（８）により薬剤（６）の含有体（７）を加熱して、薬剤（６）を気体とし、気体状態の薬剤（６）をケース（９）の蒸散口（１０）から蒸散させる２以上の蒸散ユニット（２ａ、２ｂ）と、空気流を蒸散口（１０）に送り込むモータ駆動式のファン（３）と、蒸散ユニット（２ａ、２ｂ）の不動作状態を検出する動作検出器（２１）と、この動作検出器（２１）により動作すべき蒸散ユニット（２ａ、２ｂ）の不動作状態を検出して、不動作中の蒸散ユニット（２ａ、２ｂ）に代えて待機中の蒸散ユニット（２ａ、２ｂ）の動作を開始させるコントローラ（４）と、からなることを特徴とするファン付き薬剤蒸散装置（１）。
【請求項２】
ヒータ（８）により薬剤（６）の含有体（７）を加熱して、薬剤（６）を気体とし、気体状態の薬剤（６）をケース（９）の蒸散口（１０）から蒸散させる２以上の蒸散ユニット（２ａ、２ｂ）と、空気流を蒸散口（１０）に送り込むモータ駆動式のファン（３）と、商用電源（１７）の周波数を識別する識別回路（２０）と、蒸散ユニット（２ａ、２ｂ）の不動作状態を検出する動作検出器（２１）と、上記識別回路（２０）によって識別された周波数にもとづいて所定の積算時間ごとに蒸散ユニット（２ａ、２ｂ）を切り換えて動作させるとともに、上記動作検出器（２１）により動作すべき蒸散ユニット（２ａ、２ｂ）の不動作状態を検出して、不動作中の蒸散ユニット（２ａ、２ｂ）に代えて待機中の蒸散ユニット（２ａ、２ｂ）の動作を開始させるコントローラ（４）と、からなることを特徴とするファン付き薬剤蒸散装置（１）。
【発明の詳細な説明】
【０００１】
【産業上の利用分野】
本発明は、殺虫剤、殺菌剤、芳香剤などの薬剤を安定な気体状態で、かつ最適な効果を発現できる状態として空気中に蒸散させる装置に関する。
【０００２】
【従来の技術】
市販の電気蚊取器は、薬剤の含有体を加熱することによって、薬剤を気体として蒸散させ、蚊などを殺虫する。上記の電気蚊取器によると、一般家庭で、蚊などを駆除するには適しているが、飲食店、食品工場、印刷工場倉庫などの業務用の不快害虫を防除するためのものとして、その持続時間が短いため、長時間の連続的な使用が不可能である。
【０００３】
一方、実開平７−８７８７２号公報は、テープに薬剤を含浸させておき、そのテープを発熱体に接触させながら通過させることにより、薬剤を連続的に蒸散させることを開示している。上記技術によると、テープの長さや、テープの通過速度によって、長い時間にわたる連続使用が可能となる。しかし、テープの長さに限界があるため、使用中のテープが使い終わった時点で、新たなテープを供給する必要がある。また発熱体によって空気中に放出される薬剤は、必ずしも室内に有効に蒸散されず、室内の自然の空気流によって拡散する。このため、薬剤が室内全域にわたって均一に分布せず、多くの現場で、所期の殺虫効果が得られない状況にある。
【０００４】
【発明の目的】
したがって、本発明の目的は、さらに長い時間にわたって薬剤の蒸散を持続できるようにし、また室内で薬剤を安定的に、かつ最適薬剤効果を発現できる状態として均一に作用させることである。
【０００５】
【発明の解決手段】
上記目的の下に、本発明は、請求項１において、ヒータ（８）により薬剤（６）の含有体（７）を加熱して、薬剤（６）を気体とし、気体状態の薬剤（６）をケース（９）の蒸散口（１０）から蒸散させる２以上の蒸散ユニット（２ａ、２ｂ）と、空気流を蒸散口（１０）に送り込むモータ駆動式のファン（３）と、蒸散ユニット（２ａ、２ｂ）の不動作状態を検出する動作検出器（２１）と、この動作検出器（２１）により動作すべき蒸散ユニット（２ａ、２ｂ）の不動作状態を検出して、不動作中の蒸散ユニット（２ａ、２ｂ）に代えて待機中の蒸散ユニット（２ａ、２ｂ）の動作を開始させるコントローラ（４）とでファン付き薬剤蒸散装置（１）を構成している。
【０００６】
また、本発明は、請求項２において、ヒータ（８）により薬剤（６）の含有体（７）を加熱して、薬剤（６）を気体とし、気体状態の薬剤（６）をケース（９）の蒸散口（１０）から蒸散させる２以上の蒸散ユニット（２ａ、２ｂ）と、空気流を蒸散口（１０）に送り込むモータ駆動式のファン（３）と、商用電源（１７）の周波数を識別する識別回路（２０）と、蒸散ユニット（２ａ、２ｂ）の不動作状態を検出する動作検出器（２１）と、上記識別回路（２０）によって識別された周波数にもとづいて所定の積算時間ごとに蒸散ユニット（２ａ、２ｂ）を切り換えて動作させるとともに、上記動作検出器（２１）により動作すべき蒸散ユニット（２ａ、２ｂ）の不動作状態を検出して、不動作中の蒸散ユニット（２ａ、２ｂ）に代えて待機中の蒸散ユニット（２ａ、２ｂ）の動作を開始させるコントローラ（４）とでファン付き薬剤蒸散装置（１）を構成している。
【０００７】
【発明の実施の形態】
図１、２は、本発明のファン付き薬剤蒸散装置１の外観を示しており、また図３は、蒸散ユニット２の概略的な構成を示している。そして、図４は、ファン付き薬剤蒸散装置１の制御系を示している。
【０００８】
ファン付き薬剤蒸散装置１は、全体として、箱型のケース９によって組み立てられている。ケース９は、その内部で２以上、例えば２台の蒸散ユニット２ａ、２ｂ、モータ駆動式のファン３、コントローラ４、タイマー５などを収容しており、またその上部で、ダクト１２を支持している。
【０００９】
蒸散ユニット２ａ、２ｂは、ケース９の内部に設けられており、ケース９の上面に形成されている蒸散口１０から薬剤６を気体として拡散させる。すなわち、それぞれの蒸散ユニット２ａ、２ｂは、固体または液体の状態の殺虫剤、殺菌剤あるいは芳香剤などの薬剤６を含有している例えばテープ状の含有体７を巻き付け状態でカセットケース１３の内部で備えており、含有体７をヒータ８に接触させながら、送りローラや送りモータなどの送り手段により、所定の速度で移動させることにより、薬剤６を昇華または気化させ、薬剤６を蒸散口１０から気体として放出する。
【００１０】
なお、薬剤６やテープ状の含有体７の材質や厚みによるが、含有体７の移動速度は、１〔ｃｍ／ｈｒ〕程度に設定され、またヒータ８の加熱温度は、１００〜３００〔℃〕程度に設定される。
【００１１】
またモータ駆動式のファン３は、ケース９の内部で、上方または下方に組み込まれており、外部から空気を取り込んで、ダクト１２の内部に空気流を発生し、そのダクト１２の吹き出し口からの空気流を蒸散口１０の背部から前方に向けて緩やかな空気流として送り込むことにより、蒸散口１０から上昇してくる気体の薬剤６を空気流に乗せて、室内などに、薬剤の効果を最大限に発現できる状態として拡散させる。
【００１２】
２台の蒸散ユニット２ａ、２ｂおよび１台のファン３のモータ１１は、それらに共通のコントローラ４、必要に応じてタイマー５などによって制御されるようになっている。すなわち、２台の蒸散ユニット２ａ、２ｂは、それぞれリレー接点１５ａ、１５ｂと直列に接続されており、またモータ１１は、同様にリレー接点１５ｃと直列に接続されている。そして、これらは並列の状態で、ヒューズ１６、動作検出器２１、２つの電源端子１４によって商用電源１７に接続されている。
【００１３】
また電源回路１９および識別回路２０は、一方の電源端子１４と他方の電源端子１４の側のヒューズ１６の一端に接続されている。電源回路１９は、コントローラ４およびタイマー５を動作させるための適当な直流電圧を発生する。また識別回路２０は、商用電源１７の周波数を検出し、識別した周波数をコントローラ４に設定する。タイマー５は、電源回路１９に接続されており、コントローラ４およびリレー１８ａ、１８ｂに対して、適切な周期で給電する。
【００１４】
コントローラ４は、識別回路２０によって識別された周波数に基づいて、予め設定された周波数を計数することにより、蒸散ユニット２ａ、２ｂの動作時間を積算し、所定の積算時間ごとに２つの蒸散ユニット２ａ、２ｂを切り換えて動作させるほか、動作中の蒸散ユニット２ａ、２ｂに関し、動作検出器２１から不動作状態の信号を入力したときにも不動作中の蒸散ユニット２ａ、２ｂに代えて待機中の蒸散ユニット２ａ、２ｂを動作させる。
【００１５】
動作検出器２１は、例えばフォトダイオードとフォトトランジスタとによって構成されており、いずれかの蒸散ユニット２ａ、２ｂの動作電流によるフォトダイオードの発光をフォトトランジスタにより検出している。動作すべき蒸散ユニット２ａがトラブルによって動作しなくなったとき、回路中に動作電流が流れなくなるか、動作電流が低下するので、発光ダイオードが光を発生しなくなるか、その光量が低下するため、フォトトランジスタは、不動作状態に対応する信号を発生する。
【００１６】
また、タイマー５は、薬剤６の過剰な蒸散を抑えるために付設されており、適切なオンオフ周期でタイマー接点１５ａ、１５ｂ、１５ｃをオンオフさせることによって、蒸散ユニット２ａ、２ｂおよびモータ１１を間欠的に動作させる。なお、このタイマー５が設けられていないならば、いずれかの蒸散ユニット２ａ、２ｂおよびファン駆動用のモータ１１は、連続的に動作することになる。
【００１７】
使用時に、利用者は、２つの蒸散ユニット２ａ、２ｂに例えば殺虫剤散布用のカセットケース１３を装着し、含有体７の移動速度およびヒータ８の温度を適切な値に設定して、ファン付き薬剤蒸散装置１を殺虫対象の空間例えば室内に設置して商用電源１７に接続する。このようにすると、タイマー５は、所定の周期例えばオン４０〔分〕、オフ２０〔分〕の周期でオンオフを繰り返し、コントローラ４およびファン３のモータ１１を周期的に動作させる。
【００１８】
コントローラ４は、最初に、一方の蒸散ユニット２ａを動作させ、その蒸散ユニット２ａの動作期間中に、通電時間すなわち動作時間を積算していく。蒸散ユニット２ａについて予め設定された積算時間が経過したときに、コントローラ４は、その蒸散ユニット２ａに対応するスイッチ用のトランジスタ２２ａ、リレー１８ａをオフとし、リレー接点１５ａ、１５ｃを開放するとともに、これに代えて、スイッチ用のトランジスタ２２ｂをオンの状態とし、リレー１８ｂを動作させて、リレー接点１５ｂ、１５ｃを閉じることによって、待機中の蒸散ユニット２ｂおよびモータ１１を回転させる。１つの蒸散ユニット２ａ、２ｂ（１つのカセットケース１３）の連続動作時間が例えば３００〔時間〕とすれば、２台の蒸散ユニット２ａ、２ｂについて、６００〔時間〕の連続運転が可能となる。
【００１９】
動作中の蒸散ユニット２ａがトラブルによって例えば完全に停止したとき、その動作電流が流れなくなるため、動作検出器２１の内部の発光ダイオードが光を発生しなくなり、フォトトランジスタ光電流を発生しなくなるので、動作検出器２１は、不動作状態に対応する信号を発生する。
【００２０】
これによって、コントローラ４は、動作すべき蒸散ユニット２ａの動作しない状態を検出し、それに対応するトランジスタ２２ａをオフの状態に設定し、これに代えて、他のトランジスタ２２ｂをオンの状態に設定することにより、リレー１８ｂによって、リレー接点１５ｂ、１５ｃを閉じ、動作しない状態の蒸散ユニット２ａに代えて、待機中の他の蒸散ユニット２ｂの動作を開始させる。
【００２１】
このように、２つの蒸散ユニット２ａ、２ｂは、所定の積算時間ごとに、または動作中の蒸散ユニット２ａ、２ｂのトラブルの発生によって、不動作の状態となったときに、コントローラ４によって自動的に切り換えられる。
【００２２】
【発明の効果】
請求項１によれば、動作すべき蒸散ユニットの不動作状態が動作検出器によって検出され、それが不動作の状態になったとき、コントローラがその不動作の状態を検出して、それに代わって待機中の蒸散ユニットを自動的に動作させるため、薬剤の蒸散が所定の期間にわたって継続できる。
【００２３】
また請求項２によれば、上記の請求項１の効果の他、複数の蒸散ユニットをコントローラによって、積算時間の経過により切り換えて使用するので、長い時間にわたっての連続的な使用が可能となるため、薬剤の含浸体（カセットケース）の交換動作などが頻繁に行う必要がなく、保守管理が容易となる。しかも、５０〔Ｈｚ〕や６０〔Ｈｚ〕のいずれの電源周波数にも兼用できるから、異なる周波数域でも、正確な積算時間が得られ、あるカセットについての使い残しがなくなる。
【図面の簡単な説明】
【図１】  本発明の薬剤蒸散装置の正面図である。
【図２】  本発明の薬剤蒸散装置の側面図である。
【図３】  蒸散ユニットの概略的な平面図である。
【図４】  制御系の回路図である。
【符号の説明】
１  ファン付き薬剤蒸散装置
２ａ、２ｂ  蒸散ユニット
３  モータ駆動式のファン
４  コントローラ
５  タイマー
６  薬剤
７  含有体
８  ヒータ
９  ケース
１０  蒸散口
１１  モータ
１２  ダクト
１３  カセットケース
１４  電源端子
１５ａ、１５ｂ、１５ｃ  リレー接点
１６  ヒューズ
１７  商用電源
１８ａ、１８ｂ  リレー
１９  電源回路
２０  識別回路
２１  動作検出器
２２ａ、２２ｂ  トランジスタ
【図１】
0003850001.tif 000002
【図２】
0003850001.tif 000003
【図３】
0003850001.tif 000004
【図４】
0003850001.tif 000005